(57)【要約】【課題】歩行困難者や健常者に容易な移動と階段の昇降の出来る移動装置。更にイスに座り、座ったままの移動、洋式便器への移動の補助が出来る装置を提供する事。【解決手段】移動装置を、進ませ止まらせ方向転換する為の複数の車輪を有した杖状推進道具と、搭乗者が立位状態で搭乗する車輪を有した足乗せ板を提供し。イスを背負う為の肩掛けを有した座ったまま移動出来る車輪付きのスライドする折り畳み式イスを、歩行困難者や健常者へと提供する事。なお足乗せ板から足カバーにかかる車輪は、足乗せ板下部のフレームへと全て回し、階段を昇る為の車輪やローラーを追加しても良い。下部へと回した車輪を、全て首の回る車輪へと変更しても良い。【選択図】図１
2018000907.tif 000002
【特許請求の範囲】
【請求項１】
単数又は複数の車輪がついているフレームを有する足乗せ板と、前記の足乗せ板の上部の前部に垂直状に設けられた、クッションを有するフレームと、前記の足乗せ板の上部の、前部中央又は左右の端部に、単数又は複数の垂直状に設けられた回転盤を有するフレームと、その回転盤に連結された可動可能な細工のされた連結棒と、前記連結棒に連結された車輪のついた杖状推進道具と、前記足乗せ板の上部の後部に単数又は複数の垂直状に設けられクッションをつけた後フレームと、前記の後フレームに連結した、肩掛けのある折り畳み可能なスライドする事で洋式便器への移動を助ける椅子を備えた事を特徴とする移動装置。
【請求項２】
単数又は複数の車輪がついたフレームを有する足乗せ板と、前記の足乗せ板の上部の前部に垂直状に設けられた、クッションを有する短いフレームと、車輪のついた独立した杖状推進道具と、前記足乗せ板の上部の後部に単数又は複数の垂直状に設けられたクッションをつけた後フレームと、前記の後フレームに連結した、肩掛けのある折り畳み可能なスライドする事で洋式便器への移動を助ける椅子を備えた事を特徴とする移動装置。
【請求項３】
足乗せ板前面または足カバーに階段に登る為の車輪又はローラーを追加し、単数又は複数の車輪がフレーム又は直接足乗せ板の下部についた、請求項１と請求項２に記載された事を特徴とする移動装置。
【請求項４】
肩掛けのある折り畳み可能なスライドする事で洋式便器への移動を助ける椅子を無くし、後フレームを追加で伸ばして腰掛けを追加した請求項１と請求項２と請求項３に記載された事を特徴とする移動装置。
【発明の詳細な説明】
【技術分野】
【０００１】  本発明は、折り畳み式のイスと車輪を配置した移動装置に関し、特に、車輪のついた足乗せ板に搭乗し、搭乗者が杖状の推進道具によって、前進、後進、方向転換、減速、停止等の制御を行い、イスに座る事の出来る移動装置に関する。
【背景技術】
【０００２】  従来から歩行困難者が移動する際、使用する道具として車椅子や松葉杖が使われて来た。【０００３】  しかし、車椅子では座れはするが階段の昇降は難しく。また、排便の際には洋式便器への移動が容易ではない。松葉杖では階段の昇降は出来ても速度が出せない。
【発明の概要】
【発明が解決しようとする課題】
【０００４】  本発明はこのような点を鑑みてなされたものであり、本発明の目的は、下肢機能が低下している者が、休みたいときにイスに座れ、洋式便器への移動を助けることが出来、また歩行困難者や健常者が、容易に移動が出来る事を特徴とする移動装置を提供することである。
【課題を解決するための手段】
【０００５】  本発明の第１態様に係る移動装置は、搭乗者が立位状態で搭乗し、足首程度まで覆うカバーを有した足乗せ板と、前記足乗せ板前面および下部のフレームに取り付けられた複数の車輪と、前記足乗せ板上部の中央前部に垂直状に設けられ、複数のクッションと一対の回転盤を有するフレームと、前記回転盤のそれぞれに可動可能な細工のされた連結部に連結された、前記足乗せ板の片幅より長い長さの連結棒と、前記連結棒に可動可能な連結をされた複数の車輪のついた杖状の推進道具と、前記足乗せ板上部の中央後部に垂直状に設けられクッションをつけたフレームと、前記の中央後部のフレームに連結した、折り畳み可能で横へスライドするイスと、イスを運ぶ為の肩掛けを備えるものである。【０００６】  本発明の第２態様に係る移動装置は、上記第１態様の移動装置において、足乗せ板上部の前部に垂直状に設けられたフレームのスネ当てクッションから上を無くし、足乗せ板上部の左右の両端それぞれに、垂直状に設けられた回転盤を有するフレームと、前記回転盤それぞれに連結された可動可能な細工のされた棒状の連結棒に、可動可能な連結がされた複数の車輪のついた杖状の推進道具を特徴とするものである。【０００７】  本発明第３態様に係る移動装置は、上記第２態様の移動装置において、足乗せ板上部の左右の両端それぞれに、垂直状に設けられた回転盤を有するフレームを無くし、独立した複数の車輪のついた杖状の推進道具がある事を特徴とするものである。【０００８】  本発明の第４態様に係る移動装置は、上記第１、２、３態様の移動装置において、足乗せ板前面および下部のフレームに取り付けられた複数の車輪を、足乗せ板前面から下部のフレームにかけて、一輪の車輪に変更したことを特徴とするものである。【０００９】  本発明によれば歩行困難者や健常者が、容易に移動を行うことができ、座りたい時にイスに座れて、洋式便器への移動も容易に行うことができる移動装置を提供することができる。
【図面の簡単な説明】
【００１０】
【図１】実施の形態１の移動装置Ａの斜視図である。
【図２】実施の形態１の移動装置Ａの正面図である。
【図３】実施の形態１の移動装置Ａのイスに座れる状態の左側面図である。
【図４】実施の形態１の移動装置Ａの搭乗時と走行時を説明する図である。
【図５】実施の形態１の移動装置Ａのトイレへの移動時を説明する図である。
【図６】移動装置の回転盤と連結棒と杖状推進道具の連結部分を説明する図である。
【図７】移動装置のイス枠と肩掛けの連結部分を説明する図である。
【図８】折り畳み式イスからイスをスライドさせ洋式便器への移動を説明する図である。
【図９】実施の形態２の移動装置Ｂの斜視図である。
【図１０】実施の形態３の移動装置Ｃの斜視図である。
【図１１】イス足止めの拡大図である。
【図１２】実施の形態４を説明する為の拡大した左側面図である。
【図１３】杖状推進道具の路面接地する部分の拡大図である。
【図１４】実施の形態４の首の回る後車輪を配置した例え図である。
【発明を実施するための形態】
【００１１】  実施の形態１
本発明の実施の形態１に係る移動装置の構成について、図１と図２と図３を参照して説明する。図１と図２と図３は本実施の形態に係る移動装置Ａの構成を示す図である。図１は移動装置Ａの斜視図であり、図２は正面図、図３はイスに座れる状態にした左側面図である。本実施の形態に係る移動装置Ａは、車輪のついた足乗せ板に搭乗し、杖状の推進道具を使って階段昇降と路面を移動し、肩にかけて持ち運ぶ折り畳み式のスライドするイスを有する移動装置である。
【００１２】  図１と図２と図３に示すように、移動装置Ａは、足乗せ板、足カバー、前車輪ＬとＲ、首の回転する後車輪、前フレーム、スネ当てクッション、体当てクッション、回転盤ＬとＲ、連結棒ＬとＲ、杖状推進道具ＬとＲ、車輪型ブレーキ甲、車輪型ブレーキ乙、速度維持車輪、後フレーム、膝裏当てクッション、イス枠、横スライドイスＬとＲ、首の回る車輪付きイス足ＬとＲ、イス止めＬとＲ、肩掛けＬとＲを備えている。なお、以下の図において紙面に向かって左側が搭乗者から見た右側に当たる。以下の説明において、正面図では搭乗者からみた方向で表している。
【００１３】  本発明に係る移動装置Ａには、足乗せ板１がある。この足乗せ板１の上に立位状態で搭乗することになる。
【００１４】  足乗せ板の上部には足カバー２がついている。足の甲に引っかけて足乗せ板を浮かせる事が出来る。なお、足カバーを無くした際は、スネ当てクッション部分で代わりが出来る。
【００１５】  足乗せ板１の下部から足カバー２の前面にかけて、２個の前車輪３Ｌと３Ｒが平行に配置されている。前車輪３Ｌと３Ｒは足乗せ板下部でフレーム部分に繋がっている。車輪は連動しておらず、それぞれ別個に動く。階段を昇る際にはこの車輪を階段の段差側面に接地させ、車輪が動く事で階段を昇るのを手助けする。
【００１６】  足乗せ板下部には、首の回る車輪４が前車輪３Ｌと３Ｒとの中間点の後方に配置されている。首の回る車輪４は足乗せ板下部でフレーム部分に繋がっていて、これがあることで路面のカーブを曲がりやすくなり、移動し易くなる。
【００１７】  足乗せ板１の上部中央前から前フレーム５が垂直状に伸びている。この前フレーム５は、後述の後フレーム１４と足乗せ板下部で繋がっている。前フレーム５は、回転盤８Ｌと８Ｒを保持する為にある。
【００１８】  前フレーム５には、足カバー２のすぐ上の辺りにスネ当てクッション６がある。前進する際、足カバー２に直接スネをぶつけない為のクッションである。
【００１９】  スネ当てクッション６の更に上には体当てクッション７がある。前フレーム５が直接体に当たらないように守るクッションである。
【００２０】  前フレーム５の突端には一対の回転盤８Ｌと８Ｒが背中合わせの状態で設置されている。回転盤８Ｌと８Ｒは、連動しておらずそれぞれ別個に回転し、杖状推進道具１０を移動装置Ａから、動かせつつ離れさせない為にある。
【００２１】  回転盤８Ｌと８Ｒそれぞれには連結棒９Ｌと９Ｒが図６に示すように連結されている。連結棒９Ｌと９Ｒは、杖状推進道具１０を足乗せ板１より外側の路面を掻き進ませる為にある程度の長さがある。更に図６に示すように連結部分の細工によって、杖状推進道具１０をある程度に自由に動かせる。
【００２２】  連結棒９Ｌと９Ｒそれぞれに杖状推進道具１０Ｌと１０Ｒが図６に示すように連結されている。杖状推進道具１０Ｌと１０Ｒは、腋乗せ、上段握り手、中段握り手、下段握り手の部分があり、中段握り手の部分にそれぞれの連結棒９Ｌと９Ｒが連結している。搭乗者が任意の握り手部分を手に握り路面を掻いて進み、前進と後進、方向転換、階段の昇降、スピードの調節、ブレーキ等を行う為にある。
【００２３】  杖状推進道具１０Ｌと１０Ｒのそれぞれの路面側の先端の前方、図１３に示すように車輪型ブレーキ甲１１がある。車輪型ブレーキ甲１１は完全に固定されていて回る事はない。この部分を路面に接地させて掻き進み、ブレーキに使う。
【００２４】  杖状推進道具１０Ｌと１０Ｒのそれぞれの路面側の先端の後方に図１３に示すように、車輪型ブレーキ乙１２がある。車輪型ブレーキ乙１２は、車輪が容易には回らないが、多少は回るように調節されている。車輪型ブレーキ乙１２の路面に押し当てる力の強弱によって、スピードの減速の強弱をつけられる。
【００２５】  杖状推進道具１０Ｌと１０Ｒのそれぞれの先端部分から下部握り手の間の搭乗者側、図１３に示すように、速度維持車輪１３がついている。速度維持車輪１３の車輪は、容易に回るように調節されている。スピードを落とさないで良い時などに路面に接地し、スピードを維持する。
【００２６】  足乗せ板１の上部の中央の後方辺りには、後フレーム１４が垂直状に伸びている。後フレーム１４は、折り畳み式のイスと膝裏当てクッション１５を保持する為にある。なお、中央の後フレームをなくし、左右の後部両端へと後フレーム１４を増やしても良い。
【００２７】  後フレーム１４のある程度の高さに膝裏当てクッション１５がある。膝裏当てクッション１５は、前進する際の体の支えとなる。
【００２８】  膝裏当てクッション１５の真後ろの後フレーム１４には、イス枠１６が連結されている。イス枠１６はパイプ状の作りで、洋式便器を跨ぐ程の幅で、ある程度に上下へと可動し、折り畳み式イスに座る際、搭乗者の体重を支える為にある。
【００２９】  イス枠１６の中には、横スライドイス１７Ｌと１７Ｒがある。これは搭乗者がイスとして座る部分である。左右に分かれているのは洋式便器で排泄する際、図５に示すように洋式便器を跨ぐように折り畳み式イスを移動させ、図８に示すように横スライドイスを左右へとスライドさせて洋式便座部分へと移りやすくする為にある。
【００３０】  イス枠１６の上の２カ所の角それぞれには、車輪付きイス足１８Ｌと１８Ｒがある。イス足１８Ｌと１８Ｒは、イス枠１６を支えるイス足としてある。洋式便器をまたぐ程の長さの足で、イス枠１６のパイプ状の内部で左右のイス足が繋がって連動しており、一方が動くともう一方も同じように動く。路面と接地する部分には首の回る車輪がついているので、イスに座ったままでも移動が出来る。後述のイス足止め１９で止まる部分には、イスの使用時にイス足を固定する為に磁石が設置してある。
【００３１】  イス枠１６の上の２カ所の角には、車輪付きイス足１８Ｌと１８Ｒを止める、イス足止め１９Ｌと１９Ｒがある。図１１のような形で、これは車輪付きイス足を一定の位置で固定する為にある。イス足が止まる部分には、磁石が設置してあり、イス使用時に互いの磁石が引っ付く事でイス足を固定する。
【００３２】  イス枠の上辺には、肩掛け２０Ｌと２０Ｒがある。肩掛けは、一定間隔で穴の空いたパイプが、そのパイプの中に入る一回り小さなパイプにも一定間隔で穴が空いていて、その穴の重なった部分をネジ等で固定する事で高さの調節が可能で、イス枠１６との連結部分はゴム状の材質で、図７に示すように横へと動く事で幅の調節が可能な作りである。逆字Ｊ型の部分を搭乗者の肩に掛けてイスを背負う事で、イスの持ち運びを可能にする為にある。
【００３３】  ここで移動装置Ａの実施例を説明する。まずは搭乗の仕方。移動装置Ａを図３に示すようにイス状態にしている。杖状推進道具１０を支えに足乗せ板１に上がり、足カバー２に足を入れていく。次にイスに腰かけ、逆字Ｊ型の肩掛け２０を搭乗者の肩にそれぞれかける。左右の杖状推進道具１０を支えにして、立位状態になり車輪付きイス足１８を畳むと搭乗完了である。
【００３４】  次にイスの座り方と降り方だが、まずはどちらか片方の手で杖状推進道具１０を支えにして中腰になりながら、もう一方の手で車輪付きイス足１８を広げる。イス足は左右で連動しているので片手で広げられる。イス足止めとイス足には、互いに引っ付く磁石が設置してあるので、図１１のように固定して座れる状態にしたら、イスの座る部分へと腰を掛ける。降車したい時は更にここから、逆字Ｊ型の肩掛け２０を外して、片足ずつ足乗せ板から路面に足を移し、杖状推進道具１０を支えにして立ち上がれば降りられる。
【００３５】  次に走行の仕方だが、図４に示すような搭乗状態から、左右の杖状推進道具１０の車輪ブレーキ甲１１と乙１２の部分を路面に接地させ路面を掻いて進む。移動装置Ａのスピードが乗って、杖状推進道具１０で路面を掻かなくても良い時は、左右の速度維持車輪１３を路面に接地させて進む。
【００３６】  次に方向転換だが、曲がりたい方向の杖状推進道具１０の路面接地面の車輪ブレーキ甲１１か乙１２を支点として、路面に接地させる。もう一方の杖状推進道具１０で路面を掻き進むと、曲がりたい方向へと曲がる事が出来る。
【００３７】  次に停止する時だが、停止する時はまず左右の杖状推進道具１０の車輪ブレーキ乙１２を路面に接地させ押し当てる。徐々に減速していくので、減速仕切ったら車輪ブレーキ甲１１を路面に接地させ完全に停止させる。
【００３８】  次に階段の昇降だが、階段を昇る際はまず足カバー２前面から出ている前車輪３Ｌと３Ｒを昇り階段の段差側面へとつける。左右の杖状推進道具１０の腋乗せ部分に搭乗者の腋を挟み、任意の握り手を握る。路面接地面の車輪ブレーキ甲１１と乙１２を、１段上の階段へと接地させる。搭乗者が杖状推進道具１０の車輪ブレーキ甲１１と乙１２を支点にして、当人を引き上げつつ、前車輪３Ｌと３Ｒを階段の段差側面を滑らせるようにして移動装置Ａと搭乗者を階段から引き上げる。
【００３９】  階段を降りる際は、左右の杖状推進道具１０の任意の高さの握り手部分を握る。搭乗者から１段下の階段へ、路面接地面の車輪ブレーキ甲１１と乙１２を接地させる。移動装置Ａを前へと進ませ、左右の杖状推進道具１０を支えにし、足カバー部分を足の甲で支えながら、搭乗者と移動装置Ａを１段下の段へと降ろす。
【００４０】  次にイスに座ったままの移動だが、杖状推進道具１０Ｌ１０Ｒを、イスに座った搭乗者側へと持ってくる。下段握り手部分の搭乗者に近い方の側面を握り、路面を掻いて移動する。
【００４１】  次に洋式便器への移動の仕方だが、イスに座った状態から、フタの上がった洋式便器を図５に示すように跨ぐようにイス部分を移動させる。便座の上へと来たら、片側の臀部をイスから少し浮かせ、横スライド式イスの右側なら右へ左側なら左へと図８に示すようにスライドさせる。浮かせた臀部を洋式便器の便座へと降ろす。次にもう片方の臀部も同じ動作を繰り返せば洋式便器の便座へと移動出来る。
【００４２】  なお、上述の実施の形態において、前フレームと後フレームは長さを調節出来るようにしても良い。長さを調節出来る部分は、段階式に長さを変更出来るようにしても良い。肩掛けは逆字Ｊ型でなくても、折り畳み式イスを背負える別の形態に変更しても良い。イス足をイス足止めに固定するのに別の方法でも構わない。横スライドイスは段階式にスライドさせても良い。足乗せ板下部のフレームにではなく、足乗せ板へ直接車輪をつけても構わない。カバー前面のから出ている車輪を足乗せ板下部へと変更し、階段に昇る為の車輪もしくはローラーをカバー前面に追加しても構わない。この際、足乗せ板下部に取り付ける車輪を、全て首の回転する車輪にしても構わない。
【００４３】  実施の形態２
本発明の実施の形態２に係る移動装置Ｂの構成について、図９を参照して説明する。図９は本実施の形態に係る移動装置Ｂの構成を示す図である。図９は斜視図である。なお、本実施の形態に係る移動装置Ｂは、基本的な構成は実施の形態１と略同様である。変更されている部分を記す。
【００４４】  本発明の実施の形態２には、実施の形態１の移動装置Ａの足乗せ板１の中央の前部から垂直状に伸びている前フレーム５が、スネ当てクッションから上を無くしている。替わりに足乗せ板１の上部の左右両端それぞれに、垂直状に伸びる端フレーム２１Ｌと２１Ｒがある。端フレーム２１Ｌと２１Ｒはそれぞれ、回転盤８Ｌ８Ｒを保持する為にある。
【００４５】  その端フレーム２１Ｌと２１Ｒの上部突端には、回転盤８Ｌ８Ｒがそれぞれにある。連結棒９に繋がれた杖状推進道具１０Ｌと１０Ｒを移動装置Ｂから、動かせつつ離れさせない為にある。
【００４６】  回転盤８Ｌ８Ｒのそれぞれには連結棒９Ｌと９Ｒが連結されている。連結棒９Ｌと９Ｒは、杖状推進道具１０の中段握り手を握り易くする程に、ある程度の長さがある。更に図６に示すように連結部分の細工によって、杖状推進道具１０をある程度に自由に動かせる。連結棒９Ｌと９Ｒそれぞれに杖状推進道具１０Ｌと１０Ｒがついている。
【００４７】  以上が変更点である。移動装置Ｂで座りながらの移動する際、移動装置Ａと比べ、前フレーム５が短くなっている分、視界が遮られ無いので移動がし易くなっているのが特徴である。
【００４８】  実施の形態３
本発明の実施の形態３に係る移動装置Ｃの構成について、図１０を参照して説明する。図１０は本実施の形態に係る移動装置Ｃの構成を示す図である。図１０は斜視図である。なお、本実施の形態に係る移動装置Ｃは、基本的な構成は実施の形態２と略同様である。変更されている部分を記す。
【００４９】  本発明の実施の形態３には、実施の形態２の移動装置Ｂの左右両端にそれぞれある垂直状に伸びた端フレーム２１Ｌと２１Ｒと、回転盤８Ｌと８Ｒと連結棒９Ｌ９Ｒを無くしている。回転盤に連結していた杖状推進道具１０Ｌと１０Ｒは独立してある。
【００５０】  足乗せ板の上部から出ているフレームがスネ当てクッションを有するフレームと膝裏当てクッションを有するフレームしか無く、回転盤８に杖状推進道具が固定されていないので、自由に杖状推進道具１０Ｌと１０Ｒを動かせるのが特徴となっている。
【００５１】  実施の形態４
本発明の実施の形態４に係る移動装置Ｄの構成について、図１２を参照して説明する。図１２は本実施の形態に係る移動装置Ｄの構成を示す一部拡大図である。図１２は左側面図である。なお、本実施の形態に係る移動装置Ｄは、基本的な構成は実施の形態１と２と３と略同様である。変更されている部分を記す。
【００５２】  本発明の実施の形態４は、実施の形態１と２と３において足乗せ板下部の前車輪３Ｌと３Ｒと首の回る後車輪４を無くして、足乗せ板中央の前部に前車輪大２２を設置した作りとなっている。一輪となっているのが特徴である。なお、走行の安定の為に、首の回る後車輪４を複数配置しても良い。その際の配置例を図１４で底面から見た図として示しておく。
【００５３】  なお、本発明は上記実施の形態に限られたものではなく、趣旨を逸脱しない範囲で適宜変更することが可能である。例えば、実施の形態１と２と３と４には、折り畳み可能なイスが設置されているが、使用する者が移動のみを目的とし、折り畳み可能なイスを必要としないのであれば、これをなくしても構わない。その際は、後フレームの長さを搭乗者臀部辺りまで追加しクッションを設け、腰掛けを追加しても構わない。
【符号の説明】
【００５４】１足乗せ板
２足カバー
３Ｌ３Ｒ前車輪
４首の回る後車輪
５前フレーム
６スネ当てクッション
７体当てクッション
８Ｌ８Ｒ回転盤
９Ｌ９Ｒ連結棒
１０Ｌ１０Ｒ杖状推進道具
１１車輪ブレーキ甲
１２車輪ブレーキ乙
１３速度維持車輪
１４後フレーム
１５膝裏当てクッション
１６イス枠
１７Ｌ１７Ｒ横スライドイス
１８Ｌ１８Ｒ車輪付きイス足
１９Ｌ１９Ｒイス足止め
２０Ｌ２０Ｒ肩掛け
２１Ｌ２１Ｒ端フレーム
２２前車輪大
【図１】
2018000907.tif 000003
【図２】
2018000907.tif 000004
【図３】
2018000907.tif 000005
【図４】
2018000907.tif 000006
【図５】
2018000907.tif 000007
【図６】
2018000907.tif 000008
【図７】
2018000907.tif 000009
【図８】
2018000907.tif 000010
【図９】
2018000907.tif 000011
【図１０】
2018000907.tif 000012
【図１１】
2018000907.tif 000013
【図１２】
2018000907.tif 000014
【図１３】
2018000907.tif 000015
【図１４】
2018000907.tif 000016
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
単数又は複数の車輪がついたフレーム部分を有する足乗せ板と、前記足乗せ板の上部の前部に垂直状に設けられた、クッションを有する前フレームと、前記足乗せ板の上部の、前部中央又は左右の端部に、単数又は複数の垂直状に設けられた回転盤を有するフレームと、前記回転盤に連結された可動可能な細工のされた連結棒と、前記連結棒に連結された車輪のついた杖状推進道具と、前記足乗せ板の上部の後部に単数又は複数の垂直状に設けられた、クッションをつけた後フレームと、前記後フレームに連結した、肩掛けのある折り畳み可能なスライドすることで洋式便器への移動を助ける椅子を備えたことを特徴とする移動装置。
【請求項２】
単数又は複数の車輪がついたフレーム部分を有する足乗せ板と、前記足乗せ板の上部の前部に垂直状に設けられた、クッションを有する前フレームと、車輪のついた独立した杖状推進道具と、前記足乗せ板の上部の後部に単数又は複数の垂直状に設けられた、クッションをつけた後フレームと、前記後フレームに連結した、肩掛けのある折り畳み可能なスライドすることで洋式便器への移動を助ける椅子を備えたことを特徴とする移動装置。
【請求項３】
前記足乗せ板前面又は前記足乗せ板の上部に設けらた足カバーに階段に登るための車輪又はローラーを配置し、前記単数又は複数の車輪が前記フレーム部分又は前記足乗せ板の下部についたことを特徴とする請求項１又は請求項２に記載された移動装置。
【請求項４】
前記肩掛けのある折り畳み可能なスライドすることで洋式便器への移動を助ける椅子に替えて、前記後フレームに腰掛けを設けたことを特徴とする請求項１〜３のいずれか一項に記載された移動装置。